(57)【要約】【課題】光ケーブルに余分な負荷を与えることなく、光ケーブルの余長部分及びアダプタを現存のボックス内に収納すること。【解決手段】本発明のマルチメディアポートは、少なくとも通信用機器を内器としてボディ３及びカバー４からなるボックス１に収納し、宅内に設置された情報用コンセントへの配線を集線する。ボックス１は、光ケーブル５を引き込む開口部３ｃと、保持ユニット２とを備える。保持ユニット２は、光ケーブル５の余長部分が巻回される巻き取り部６と、光ケーブル５のプラグ５ａを接続するアダプタ７とを有する。そして、保持ユニット２は他の内器と共通の固定方法によってボックスに収納される。アダプタ７と対向するボディ３下側壁には、外部に貫通してなる貫通孔９が設けられている。アダプタ７は、貫通孔９を通じて光コード９０のプラグ９０ａと接続される。【選択図】図１
2010016253.tif 000002
【特許請求の範囲】
【請求項１】
少なくとも通信用機器を内器として矩形のボックスに収納し、宅内に設置された情報用
コンセントへの配線を集線するマルチメディアポートにおいて、前記ボックスは、光ケー
ブルを外部から前記ボックス内に引き込む開口部と、前記光ケーブルの余長部分が巻回さ
れる巻き取り部及び前記光ケーブルのプラグを接続するアダプタを有する保持ユニットと
を備え、前記保持ユニットは、他の内器と共通の固定方法によってボックスに収納され、
前記アダプタと対向する前記ボックスの側壁には、外部に貫通してなる貫通孔が設けられ
、前記アダプタは、前記貫通孔を通じて光コードのプラグと接続されることを特徴とする
マルチメディアポート。
【請求項２】
前記貫通孔の外部周縁には、外側へ突出した凸部が設けられていることを特徴とする請
求項１記載のマルチメディアポート。
【請求項３】
前記貫通孔の内周面は、前記アダプタに近づくに従って幅寸法が狭くなる傾斜面として
いることを特徴とする請求項１または２記載のマルチメディアポート。
【請求項４】
前記保持ユニットは、ユニット本体と保持台とから構成され、前記ユニット本体は前記
巻き取り部及び前記アダプタを備え、前記保持台は前面側に前記ユニット本体を着脱自在
に保持することを特徴とする請求項１〜３の何れか１項に記載のマルチメディアポート。
【請求項５】
前記保持台は、前記アダプタが前記ボックス内の前記貫通孔に近接する位置と、離れた
位置との間の複数の位置で、択一的に前記ユニット本体を保持することを特徴とする請求
項４記載のマルチメディアポート。
【請求項６】
前記アダプタは、前記保持ユニットに対して着脱自在であることを特徴とする請求項１
〜５の何れか１項に記載のマルチメディアポート。
【請求項７】
請求項６に記載のマルチメディアポートの施工方法であって、前記光ケーブルを前記開
口部から引き込み、前記光ケーブルのプラグを前記保持ユニットから取り外された前記ア
ダプタに接続し、前記光ケーブルの余長部分を前記巻き取り部に巻回させることを特徴と
するマルチメディアポートの施工方法。
【発明の詳細な説明】
【技術分野】
【０００１】
本発明は、少なくとも通信用機器を内器として矩形のボックスに収納し、宅内に設置さ
れた情報用コンセントへの配線を集線するマルチメディアポート並びにその施工方法に関
するものである。
【背景技術】
【０００２】
従来より、壁面に取り付けられる合成樹脂製のボディと、該ボディの前面開口に被着さ
れる合成樹脂製のカバーとで構成されるボックスを備え、このボックス内に映像用機器や
通信用機器などの内器を収納し、宅内に設置された情報用コンセントへの配線を集線する
マルチメディアポートが提供されている（例えば、特許文献１参照）。
【０００３】
ところで、近年インターネットに接続する方法として、光ファイバーを利用する宅が増
加しつつある。光ファイバーを利用する際、一般に光ファイバーケーブル（以下、光ケー
ブルと略する）が、屋外に設置された光接続箱から宅内に引き込まれ、ＯＮＵ（光回線終
端装置）に接続される。このとき、一度、光ケーブルをマルチメディアポートのボックス
内に引き込んで導出させてから、光ケーブル端部のプラグをＯＮＵに接続する。若しくは
、ボックス外部へ導出させてから光ケーブル端部のプラグをアダプタに接続し、折り曲げ
や側圧に極めて強い光ファイバーコード（以下、光コードと略する）に変換してから該光
コードのプラグをＯＮＵに接続する。尚、光ケーブルはボディの背面側に備えられる開口
部を介して外部からボックス内に引き込み、そして、ボディの側壁に設けられた通線孔を
介してボックスの外部へ導出される。
【０００４】
しかし、従来のマルチメディアポートは、ボックス内に光ケーブルを収納する場所を具
備しておらず、また光コードに比べて折り曲げや側圧に弱い光ケーブルを、許容曲率半径
以上に折り曲げてボックス内に収納することは出来ない。そのため、光ケーブルの余長処
理は、光ケーブルをボックス外部へ導出してから、ボックスとは別に外部に用意したユニ
ットを用いて行っていた。これに対して、ボディの底壁に４本の突出ピンを設け、光ケー
ブルの余長部分を該突出ピンに巻回させてボックス内に収納するマルチメディアポートが
提供されている（特許文献２参照）。
【特許文献１】特開２０００−１３３９６０号公報
【特許文献２】特開２００５−７９３４０号公報
【発明の開示】
【発明が解決しようとする課題】
【０００５】
しかしながら、従来のマルチメディアポートにおける突出ピンは、ボディ底壁に直接形
成されている。故に、光ファイバー利用者宅に既に別のマルチメディアポートが設置済み
の場合、ボックス内で光ファイバーの余長処理を行うために、ボディ全てを交換しなくて
はいけない問題がある。また、光ケーブルから光コードに変換する際、マルチメディアポ
ート外部でアダプタを介して結合されるので、外観上の見映えが悪く、更に光ケーブルが
外力によってボックスの外部へ引っ張られたり、内部に引き込まれたりといった負荷を受
ける問題もある。
【０００６】
本発明は上記事由に鑑みて為されたものであり、その目的は、光ケーブルに余分な負荷
を与えることなく、光ケーブルの余長部分及びアダプタを、現存のボックス内に収納する
ことができるマルチメディアポート並びにその施工方法を提供することにある。
【課題を解決するための手段】
【０００７】
請求項１の発明は、上記目的を達成するために、少なくとも通信用機器を内器として矩
形のボックスに収納し、宅内に設置された情報用コンセントへの配線を集線するマルチメ
ディアポートにおいて、前記ボックスは、光ケーブルを外部から前記ボックス内に引き込
む開口部と、前記光ケーブルの余長部分が巻回される巻き取り部及び前記光ケーブルのプ
ラグを接続するアダプタを有する保持ユニットとを備え、前記保持ユニットは、他の内器
と共通の固定方法によってボックスに収納され、前記アダプタと対向する前記ボックスの
側壁には、外部に貫通してなる貫通孔が設けられ、前記アダプタは、前記貫通孔を通じて
光コードのプラグと接続されることを特徴とする。
【０００８】
この発明によれば、前記ボックスは、前記光ケーブルの余長部分が巻回される巻き取り
部及び前記光ケーブルのプラグを接続するアダプタを有する保持ユニットとを備え、前記
保持ユニットは、他の内器と共通の固定方法によってボックスに収納され、前記アダプタ
と対向する前記ボックスの側壁には、外部に貫通してなる貫通孔が設けられ、前記アダプ
タは、前記貫通孔を通じて光コードのプラグと接続されるので、前記光ケーブルに余分な
負荷を与えることなく、前記光ケーブルの余長部分及び前記アダプタを、現存のボックス
内に収納することができる。
【０００９】
請求項２の発明は、請求項１の発明において、前記貫通孔の外部周縁には、外側へ突出
した凸部が設けられていることを特徴とする。
【００１０】
この発明によれば、前記ボックス周辺の造営構造物等により直接前記貫通孔の確認が困
難であっても、前記貫通孔の外部周縁には凸部が設けられているので、前記ボックスの正
面からの前記貫通孔の位置確認が可能となる。因って、ＯＮＵ等の機器設置時、及び機器
の保守点検時に、前記光コードのプラグ先端の破損によって光の信号伝送特性が低下する
のを防ぎ、更に作業性を向上させることができる。
【００１１】
請求項３の発明は、請求項１または２の発明において、前記貫通孔の内周面は、前記ア
ダプタに近づくに従って幅寸法が狭くなる傾斜面としていることを特徴とする。
【００１２】
この発明によれば、前記光コードのプラグを、前記ボックス外部から前記貫通孔に挿入
し、前記アダプタの接続部に接続することが容易となり、作業性を向上させることができ
る。
【００１３】
請求項４の発明は、請求項１〜３の何れか１項の発明において、前記保持ユニットは、
ユニット本体と保持台とから構成され、前記ユニット本体は前記巻き取り部及び前記アダ
プタを備え、前記保持台は前面側に前記ユニット本体を着脱自在に保持することを特徴と
する。
【００１４】
この発明によれば、前記ユニット本体は前記巻き取り部及び前記アダプタを備え、前記
保持台は、前面側に前記ユニット本体を着脱自在に保持するので、前記保持台から前記ユ
ニット本体を取り外して、前記保持台のみを前記ボックスに固定し、前記保持ユニットを
手で保持しながら、前記光ケーブルの余長部分を巻き取り部に巻回させた後、前記ユニッ
ト本体を前記保持台に取付けることができ、作業性を向上させることができる。
【００１５】
請求項５の発明は、請求項４の発明において、前記保持台は、前記アダプタが前記ボッ
クス内の前記貫通孔に近接する位置と、離れた位置との間の複数の位置で、択一的に前記
ユニット本体を保持することを特徴とする。
【００１６】
この発明によれば、前記光コードと前記アダプタとの接続時に、前記ボックス周辺の造
営構造物等により、前記光コードのプラグの一部を前記貫通孔より外側に突出させること
ができない場合、前記アダプタと前記光コードとの接続場所を、前記ボックス内の前記貫
通孔から離れた場所に変えることが可能である。
【００１７】
請求項６の発明は、請求項１〜５の何れか１項の発明において、前記アダプタは、前記
保持ユニットに対して着脱自在であることを特徴とする。
【００１８】
この発明によれば、前記アダプタは、前記保持ユニットから取り外した状態で、前記光
ケーブルのプラグを接続し、前記光ケーブルの余長部分を前記巻き取り部に巻回させるこ
とができるので、巻回時の前記光ケーブルのねじれを無くし、作業性を向上させることが
できる。
【００１９】
請求項７の発明は、請求項６に記載のマルチメディアポートの施工方法であって、前記
光ケーブルを前記開口部から引き込み、前記光ケーブルのプラグを前記保持ユニットから
取り外された前記アダプタに接続し、前記光ケーブルの余長部分を前記巻き取り部に巻回
させることを特徴とする。
【００２０】
この発明によれば、請求項６に記載の発明と同様の効果を奏するマルチメディアポート
の施工方法が提供できる。
【発明の効果】
【００２１】
本発明では、光ケーブルに余分な負荷を与えることなく、光ケーブルの余長部分及びア
ダプタを、現存のボックス内に収納することができるという効果がある。
【発明を実施するための最良の形態】
【００２２】
（実施形態１）
以下、本発明の実施形態１について、図１〜図６を参照して説明する。本実施形態１の
マルチメディアポートは、図１及び図２に示すように、全体として横長の略直方体形状を
したボックス１を備える。このボックス１内には、通信機器たる電話端子台１０と、同じ
く通信機器たるスイッチングハブ１１と、映像用機器たるＵ／Ｖ・ＢＳ・ＣＳブースタ１
２とを内器として収納している。但し、ボックス１内に収納される内器はこれらに限定さ
れるものではなく、使用者宅の設備に応じて追加変更可能である。
【００２３】
ボックス１は、図１及び図２に示すように、壁面に取り付けられるボディ３と、該ボデ
ィ３の前面を覆うカバー４（図１には図示せず）とで構成される。
【００２４】
ボディ３は、図１に示すように、合成樹脂材料によって前面が開口した矩形の箱型に形
成されてなる。ボディ３の底壁の四隅には、ネジ挿通孔３ａが各々設けられており、これ
らのネジ挿通孔３ａに挿通したネジ３ｂを壁材に螺合させることで、ボディ３が壁面に固
定される。ボディ３の底壁における上端部及び下端部には、ノックアウト方式の複数の開
口部３ｃがそれぞれ左右方向一列に配設されている。開口部３ｃは、ボックス１内に収納
する内器の数や配置に合わせて開口される。そして、該開口部３ｃを介して保安器から導
出された電話線や、住宅盤から配線されている電源線が、ボックス１内に引き込まれると
ともに、電話端子台１０に接続された宅内配線用の電話線や、スイッチングハブ１１に接
続されたＬＡＮケーブルが開口部３ｃを通してボックス１外へ導出される。ボディ３底壁
には、内器を取付ける手段として、複数個の係止爪３ｄ及びボス３ｆを備える。ボス３ｆ
は、取付ネジ３ｅが螺合するネジ孔を有した円筒形状に形成され、ボディ３の底壁の上部
及び下部に等間隔で左右方向一列に配設される。係止爪３ｄは、前方へ突出してなる鈎形
状に形成され、ボディ３の底壁の下部に配設されるボス３ｆの下方に等間隔で左右方向一
列に配設される。ボディ３の上側壁と下側壁とには前方へ突出してなる爪３ｇが、カバー
４の開口の周縁に設けられた係止段部（図示せず）と各一対ずつ設けられている。この爪
３ｇが前記係止段部に弾性係止することで、カバー４をボディ３の前面に係脱自在に被着
することができる。そして、ボディ３の下側壁の左端には、前方側から矩形状に切り欠い
て形成される貫通孔９が設けられている。
【００２５】
カバー４は、図２（ａ）〜（ｃ）に示すように、合成樹脂材料によって背面が開放され
た扁平な箱型に形成されてなり、前方壁の左右方向中心より左側寄りには矩形状に開口さ
れてなる窓部４ａが設けられている。そして上述の様に、ボディ３の爪３ｇがカバー４の
係止段部（図示せず）に弾性係止することで、カバー４がボディ３の前面に係脱自在に被
着される。
【００２６】
Ｕ／Ｖ・ＢＳ・ＣＳブースタ１２は、図１に示すにように、箱形の合成樹脂成形品から
なる本体５０内に、ブースタ回路、混合器、分配器を内蔵しており、アンテナからのＵＨ
Ｆ信号、ＶＨＦ信号、ＢＳ信号、ＣＳ信号を混合し且つ増幅して住戸内の各部屋に設置さ
れている情報コンセント（テレビコンセント）に出力するものである。本体５０の下部に
は、段部が形成されるとともに、かかる段部の一部に更に段部が形成される。上側の段部
によって形成された下面には、Ｕ／Ｖ用のアンテナからの同軸ケーブルが接続される入力
端子５１と、ＢＳ及びＣＳ用のアンテナからの同軸ケーブルが接続される入力端子５２と
が左右方向に並設されている。また、本体５０の上部にも２つの段部が形成されており、
段部によって形成された各々の上面には、情報コンセント（テレビコンセント）に一端が
接続される同軸ケーブルをそれぞれ接続する各４つずつの出力端子５３が左右方向に並設
されている。尚、本体５０の下部の下側段部によって形成される下面には、ブースタ回路
等の動作電源を得るための給電線（図示せず）が挿入される電線挿入孔（図示せず）が設
けられている。また、本体５０の下部の上側段部によって形成される前面の左端には、摘
み部分を上方乃至下方に切り替えることで、ブースタ回路等の動作電源をＯＮ乃至ＯＦＦ
状態にする電源スイッチ５６が設けられている。
【００２７】
スイッチングハブ１１は、図１に示すように、箱形の合成樹脂成形品からなる本体６０
前面の左右方向略中心より左側に、８個のモジュラジャック６１が上下方向２列に並設さ
れる。本体６０の下端部下面には、動作電源を得るための給電線（図示せず）が挿入され
る電線挿入孔（図示せず）が設けられ、本体６０前面の下方左隅には、摘み部分を上方乃
至下方に切り替えることでスイッチングハブ１１の動作電源をＯＮ乃至ＯＦＦ状態にする
電源スイッチ６４が設けられている。
【００２８】
電話端子台１０は、図１に示すように、箱形の合成樹脂成形品からなる本体７０を備え
る。本体７０の下部には、後方へ下がる２段の段部が設けられており、上側の段部によっ
て形成された下面には、屋内に配線された電源線が接続される２つの電源線接続端子部（
図示せず）が並設されている。また、下側の段部によって形成された下面には、前記電源
線接続端子部を介して電源線に接続されるとともに、電源を必要とする内器（本実施形態
１においてはＵ／Ｖ・ＢＳ・ＣＳブースタ１２とスイッチングハブ１１）に対する給電用
の給電線（図示せず）が接続される３つの給電線接続端子部（図示せず）が並設されてい
る。
【００２９】
本体７０前面の左右方向略中心より左側には、コンセント７１が取り付けられる。コン
セント７１には、各々に電源プラグが挿抜自在に接続される２極の差込口７２が上下方向
に並設される。また下側の差込口７２の下方には、扉付きのアースターミナル７３が設け
られている。尚、コンセント７１は複数の速結端子を内蔵しており、本体７０内部におい
て前記電源線接続端子部と接続されるとともに、前記給電線接続端子部が送り配線で接続
されている。
【００３０】
更に、本体７０前面の左右方向略中心より右側下方には、ＬＡＮ用のモジュラジャック
７４が埋込配設される。モジュラジャック７４に接続されているＬＡＮケーブル７５は、
本体７０下部の上側の段部によって形成された下面右端に設けられる挿通孔（図示せず）
を通じて本体７０の外部に引き出されている。該ＬＡＮケーブル７５の引き出された先端
に付設されているモジュラプラグ７６は、スイッチングハブ１１の８個あるモジュラジャ
ック６１の最下端左に接続される。
【００３１】
本体７０の上部には、後方へ下がる１段の段部が設けられており、該段部によって形成
された前面には、保安器から導出された電話線（加入者線）が接続される加入者線接続端
子部７７と、それぞれ宅内配線用の電話線が接続される複数の電話線接続端子部７８とが
左右方向上段一列及び下段に１つ設けられている。但し、上段の電話線接続端子部７８は
一つで２回線の電話線が接続可能である。
【００３２】
本体７０前面の左右方向略中心より右側には、モジュラジャック７９、８０、及びスラ
イドスイッチ８１が上下方向に設けられている。ここで上述の加入者線接続端子部７７は
、本体７０内部の配線パターンやリード線を介して、スライドスイッチ８１の共通端子と
接続されている。また、スライドスイッチ８１の一方の切換端子が、本体７０内部の配線
パターンやリード線を介してモジュラジャック７９に接続されるとともに、スライドスイ
ッチ８１の他方の切換端子が、配線パターンやリード線を介して電話線接続端子部７８と
モジュラジャック８０とに分岐接続されている。つまり、スライドスイッチ８１の摘み部
分を操作することで、共通端子が一対の切換端子に択一的に切換接続され、一方の切換端
子に切換接続されている状態ではモジュラジャック７９が加入者線接続端子部７７を介し
て加入者線に接続されるとともに、電話線接続端子部７８とモジュラジャック８０とが加
入者線から切り離される。逆に他方の切換端子に切換接続されている状態では、電話線接
続端子部７８とモジュラジャック８０が加入者線接続端子部７７を介して加入者線に接続
されるとともに、モジュラジャック７９が加入者線から切り離される。
【００３３】
尚、上述のモジュラジャック７４、７９、８０は何れも、スライド移動する扉が配設さ
れており、モジュラプラグが接続されていない状態においては、各扉が自重で下に降りて
閉じるようになっている。また、本体７０の前面は、ボディ３にカバー４を取り付けた状
態でも、カバー４の窓部４ａより露出される。
【００３４】
これらの機器の本体５０、６０、７０の上下端にはそれぞれ平板状の取付片５４、６２
、８２が一体に突設される。取付片５４、６２、８２には上端及び下端に各々２個の取付
孔５５、６３、８３が、ボディ３のボス３ｆと一致する間隔で貫設されている。尚、上端
の取付孔５５、６３、８３はダルマ孔にて形成され、下端の取付孔５５、６３、８３は丸
孔にて形成される。そして、下端の取付片５４、６２、８２をボディ３底壁下部の係止爪
３ｄに係止させるとともに、上端の取付孔５５、６３、８３を通じてボディ３底壁上部の
ボス３ｆに取付ネジ３ｅを螺合することで、本体５０、６０、７０がボディ３に取り付け
られる。
【００３５】
次に本発明の要旨である保持ユニット２について説明する。
【００３６】
本実施形態１の保持ユニット２は、図１に示すように、上述の電話端子台１０や、スイ
ッチングハブ１１、Ｕ／Ｖ・ＢＳ・ＣＳブースタ１２と同様の、ボックス１内に具備され
る内器であり、ボックス１のボディ３底壁の左端部（電話端子台１０の左隣）に取り付け
られている。また、保持ユニット２は、図１乃至図３に示すように、合成樹脂材料によっ
て全体として略細長角筒形状に形成され、更に下端部右隅が下方へ突出しいる。そして、
保持ユニット２は、屋外に設置された光接続箱から宅内に引き込まれた光ファイバーケー
ブル５（以下、光ケーブルと略する）の余長部分が巻回される巻き取り部６と、光ケーブ
ル５の端部に具備されるプラグ５ａを接続するアダプタ７とを備える。
【００３７】
巻き取り部６は、図３に示すように、保持ユニット２前面の前方側へ円弧状に突出して
なる突出部６ａ、６ｂ、６ｃ（図３の上から順に）と、保持ユニット２前面左右端の前方
側へ突設される細長矩形板状の左支持板６ｄ及び右支持板６ｅとから構成される。突出部
６ａ〜ｃは、保持ユニット２前面に略等間隔で上下方向一列に並設されている。そのうち
突出部６ａのみが円弧状の開口側を下方に向けて配設されており、突出部６ｂ及び６ｃは
円弧状の開口側を上方に向けて配設されている。左支持板６ｄ及び右支持板６ｅの前端部
には、内側へ突出してなる鍔部６ｇが各々２箇所に設けられ、左支持板６ｄの２つの鍔部
６ｇは、対向する右支持板６ｅの２つの鍔部６ｇとそれぞれ上下方向の位置を等しくして
いる。尚、右支持板６ｅの長手方向寸法は、左支持板６ｄの長手方向寸法より長くしてい
る。
【００３８】
アダプタ７は、図１及び図３に示すように、全体が略直方体形状に形成されてなり、上
端部及び下端部にはそれぞれ接続部７ａ、７ｂが設けられている。そして、接続部７ａに
対して光ケーブル５のプラグ５ａが、接続部７ｂに対して折り曲げや側圧に強い光ファイ
バーコード９０（以下、光コードと略する）のプラグ９０ａが、係脱自在に接続される。
また、図３に示すように、接続部７ｂの外周面には、全周に亘って外側へ突出してなる外
鍔部７ｃが設けられ、前面及び背面の外鍔部７ｃの上方には、内側へ窪んでなる係合溝７
ｄが設けられている（図３では前面のみ図示）。更に、接続部７ｂには観音開き式の扉が
配設されている。接続部７ｂにプラグ９０ａを挿入すると、扉は挿入方向へ開くように観
音開きされ、プラグ９０ａが挿入されていないときは扉は閉じるようになっている。
【００３９】
保持ユニット２の下端部右隅には、図３及び図４（ａ）に示すように、下方へ角筒状に
突出してなる中空の角筒部２ｂと、更に該角筒部２ｂの下端部から前方へ突出する矩形板
状の突起板２ｃとが設けられている。そして角筒部２ｂ及び突起板２ｃは、全体としてＬ
字型形状に形成され、アダプタ７を固定する手段として弾性体１５、レバー溝１６、一対
の狭持片１７及び挿通口１３を具備している。弾性体１５は、角筒部２ｂの前側壁を略Ｕ
字型状に切り抜くことで細長矩形板に形成されてなる。また、弾性体１５の下方には左右
に亘って前方へ三角柱状に突出した係合部１５ａが形成され、該係合部１５ａの略右端に
は、右方へ矩形板状に突出したレバー１５ｂが配設されている。更に、レバー１５ｂの背
面には、後方へ矩形状に窪んだレバー溝１６が形成されている。即ち、弾性体１５は、レ
バー１５ｂをレバー溝１６に向かって押圧することで、上端を支点として前後方向に弾性
変形自在である。狭持片１７は、弾性体１５の左右脇に前方へ矩形板状に突設されている
。そして、挿通口１３は、突起板２ｃ上面から下面へ矩形状に貫通して形成されている。
【００４０】
アダプタ７を保持ユニット２に取り付けるには、先ず、アダプタ７の係合溝７ｄが形成
される面を角筒部２ｂと対向させ、且つ接続部７ａ、７ｂを各々上方、下方に向けて、ア
ダプタ７を角筒部２ｂの前面に載置する。このとき、アダプタ７の前面と背面とを逆にし
て載置してもよい。但し、外鍔部２ｃが左右の狭持片１７より下方に位置しなければいけ
ない。次に、アダプタ７を、図４（ｂ）に示すように、角筒部２ｂに対して下方（図中の
矢印方向）へ摺動させて、アダプタ７の接続部７ｂを突起板２ｃの挿通口１３に挿入する
。同時に、アダプタ７の背面が係合部１５ａを圧接しながら摺動し、弾性変形により弾性
体１５が背面側へ撓む。そして、外鍔部７ｃの下面が突起板２ｃの上面に当接され、左右
一対の狭持片１７がアダプタ７の接続部７ａ左右側面を狭持する。弾性体１５の弾性復元
力により係合部１５ａが、アダプタ７の背面側の係合溝７ｄ（図４（ｂ）の破線部）に係
合する。この係合によってアダプタ７が抜け止めされて、保持ユニット２に取り付けられ
る。逆に取り外しの際は、レバー１５ｂをレバー溝１６に向かって押圧すと、前述の係合
部１５ａによる抜け止めが外れるので、アダプタ７を角筒部２ｂに対して上方（図４（ｂ
）の矢印の逆方向）へ摺動させればよい。
【００４１】
そして、保持ユニット２上端部後方には、図３に示すように、取付片２ｄが上方へ突設
され、該取付片２ｄには貫通してなる取付孔２ｅがダルマ孔にて形成されている。また、
保持ユニット２下端部の角筒部２ｂ付け根付近には、矩形状に内側へ窪んでなる窪み部２
ｆが形成されており、更に該窪み部２ｆの底壁には貫通してなる取付孔２ｇが丸孔にて形
成されている。但し、取付孔２ｅと２ｇとの上下方向の間隔は、ボディ３の上下端のボス
３ｆの間隔と等しくしている。そして、取付孔２ｇを通じてボディ３底壁の最左端下のボ
ス３ｆに取付ネジ３ｅを螺合するとともに、取付孔２ｅを通じてボディ３底壁の最左端上
のボス３ｆに取付ネジ３ｅを螺合することで、図１に示すように、保持ユニット２がボデ
ィ３の最左端底壁に取り付けられる。尚、このときアダプタ７はボディ３の貫通孔９と近
接して対向する位置にある。つまり、本実施形態１の保持ユニット２は、取付孔２ｅ、２
ｇを通じて、他の内器と共通の固定方法である取付ネジ３ｅ及びボス３ｆによってボック
ス１に収納される。因って、本実施形態１の保持ユニット用に新たにボックスを用意しな
くても、現存のボックスに対応可能である。
【００４２】
従来のマルチメディアポートでは、ボックス内に光ケーブルを引き込んで導出する場合
前述の様に光ケーブルの余長部分を収納する場所が無く、ボックス外部に導出後その余長
部分の処理を行っていた。それに対して本実施形態１のマルチメディアポートでは、次の
通りである。先ず、保持ユニット２を上述の様にボディ３底壁に取り付けて、保持ユニッ
ト２からアダプタ７を取り外す。若しくは、アダプタ７を先に取り外してから、保持ユニ
ット２をボディ３底壁に取り付ける。次に、光ケーブル５をボディ３底壁上方の最左部に
位置する開口部３ｃよりボックス１内に引き込み、引き込んだ光ケーブル５の端部に有す
るプラグ５ａを、アダプタ７の接続部７ａに接続する。次に、光ケーブル５の余長部分を
、予め、巻き取り部６の右支持板６ｅの左側面、突出部６ｃの外周面、左支持板６ｄの右
側面、突出部６ａの外周面によって形成される長円形の周縁と略同形状の大きさに巻いて
おき、巻いた状態でそのまま巻き取り部６に巻回させて収納する。若しくは直接巻き取り
部６の前記長円形の周縁に沿うように巻回させてもよい。そして、アダプタ７を上述の様
に保持ユニット２に取り付ける。この様に、アダプタ７は保持ユニット２に対して着脱可
能であるので、ねじれを起こすことなく容易に光ケーブル５の余長部分を巻き取り部６に
巻回させて収納することができ、作業性を向上させている。また、左右支持板６ｄ及び６
ｅに備えられた鍔部６ｇにより、光ケーブル５の余長部分が前方へ脱落することはない。
尚、光ケーブル５の余長部分の長さが比較的短い場合や、巻回後に光ケーブル５の余長部
分の長さ調整を行う場合に、突出部６ｃの外周面から突出部６ｂの外周面に変えて巻回さ
せてもよい。
【００４３】
一方、アダプタ７の接続部７ｂ側は、図５（ａ）及び（ｂ）に示すように、貫通孔９と
近接して対向しており、光コード９０の一端部に具備されるプラグ９０ａを貫通孔９の下
方から挿入すれば、突起板２ｃの挿通口１３を介して、接続部７ｂに接続することができ
る。尚、この接続はボディ３をカバー４で覆った状態でも可能である。そして、光コード
９０の他端部のプラグ（図示せず）は、光信号から電気信号への変換を行うＯＮＵ（図示
せず）に接続され、ルータ（図示せず）を介して上述の電話端子台１０のモジュラジャッ
ク７４に接続されている。
【００４４】
以上の説明より、本実施形態１のマルチメディアポートは、光ケーブル５が外力によっ
てボックス１の外側へ引っ張られたり、内部に引き込まれたりといった余分な負荷を受け
ることなく、光ケーブル５の余長部分及びアダプタ７を、現存のボックス１内に収納する
ことができる。
【００４５】
ところで、宅内の壁面にボックス１を設置後、ボックス１の下方周辺に造営構造物等が
あれば、直接貫通孔９の位置確認が困難な場合がある。しかし、本実施形態１の貫通孔９
の外部周縁には、図５及び図６に示すように、外側へ突出した凸部９ａが設けられている
。つまり、ボックス１の前面から直接貫通孔９を目視できなくても、この凸部９ａによっ
て貫通孔９の位置を確認することが可能となる。因って、ＯＮＵ（図示せず）等の機器設
置時、及び機器の保守点検時に、光コード９０のプラグ９０ａ先端をボックス１の下側壁
に当てながら挿通孔９を探すことによってプラグ９０ａ先端が破損し光の信号伝送特性が
低下してしまうのを防ぎ、更に作業性を向上させることができる。
【００４６】
また、本実施形態１の貫通孔９の内周面は、図６に示すように、アダプタ７に近づくに
従って幅寸法が狭くなる傾斜面としている。即ち、光コード９０のプラグ９０ａをボック
ス１外部からアダプタ７の接続部７ｂに接続することが容易となり、作業性を向上させる
ことができる。尚、図６に示すように、貫通孔９以外にも突起板２ｃの内周面にも同様の
傾斜面を設ければ、更にプラグ９０ａの接続が容易となる。
【００４７】
（実施形態２）
以下、本発明の実施形態２について、図７〜図１０を参照して説明する。尚、本実施形
態２は、基本的な構成が実施形態１と共通であるので、共通の構成要素には、同一の符号
を付して説明を省略する。
【００４８】
実施形態１では、巻き取り部６及びアダプタ７が具備された保持ユニット２を、そのま
まボディ３の底壁に取り付けていた。これに対して本実施形態２の保持ユニット２は、ユ
ニット本体２ａと、該ユニット本体２ａを着脱自在に保持する保持台８とから構成される
点に特徴がある。
【００４９】
本実施形態２の保持ユニット２は、図７（ａ）に示すように、合成樹脂成形品からなる
略細長矩形板状に形成されたユニット本体２ａと、合成樹脂成形品からなりユニット本体
２ａと略同形状で且つ長手方向寸法をユニット本体２ａより長くした保持台８とから構成
される。
【００５０】
ユニット本体２ａは、実施形態１と同様に、巻き取り部６、アダプタ７、Ｌ字型形状の
角筒部２ｂ及び突起板２ｃを備え、アダプタ７は、ユニット本体２ａに対して着脱自在で
ある。但し、巻き取り部６の構成は一部実施形態１と異なる。本実施形態２の巻き取り部
６は、突出部６ａと、左支持板６ｄ及び右支持板６ｅと、該左支持板６の上下端で各々円
弧状に右側へ延設される上支持板６ｈ及び下支持板６ｉとから構成される。そして、上下
支持板６ｈ、６ｉの上端部乃至下端部の前方には、左右支持板６ｄ、６ｅと同様に、内側
へ突出してなる鍔部６ｇが設けられている。また、実施形態１のボディ３底壁への固定手
段であった取付片２ｄ、取付孔２ｅ、窪み部２ｆ及び取付孔２ｇは、本実施形態２のユニ
ット本体２ａに具備されておらず、その代わりに、保持台８側に後述の固定手段が具備さ
れている。ユニット本体２ａには、保持台８と弾性係止する手段として、係止段部２ｈ、
係止片２ｉ及び凹部（図示せず）が設けられている。係止段部２ｈは、ユニット本体２ａ
の上端部左右に一対設けられており、ユニット本体２ａ上面から下方に窪み、更に前方略
半分が下方へ窪んで形成された段部である。係止片２ｉは、ユニット本体２ａの下端部の
左右方向略中心より左側寄りから下方へ突出してなる矩形板と、更に前記矩形板の下端部
から前後方向に突設されている矩形板とから形成される。前記凹部（図示せず）は、ユニ
ット本体２ａの背面側の下方左右に一対設けられており、内側へ窪んでなる。
【００５１】
保持台８は、ユニット本体２ａと略同形状に形成されており、下端部の左右方向略中心
より右側寄りは下方へ角筒状に突出している。そして、保持台８はユニット本体２ａと弾
性係止する手段として、一対の係合爪８ａ、８ｂ、８ｃ、一対の突起部８ｄ、８ｅ、溝部
８ｆ、係止部８ｇを具備する。係合爪８ａは、保持台８前面の上端部左右に前方へ突設さ
れており、その突出先には下方へ突き出る引掛け部８ｈが設けられている。更に該一対の
係合爪８ａの下方には、係合爪８ａと同形状の、左右一対の係合爪８ｂ、８ｃが、所望の
間隔で上下方向に並設している。突起部８ｄは、保持台８前面の上下方向の略中心より下
方寄りの左右端に設けられており、略山型形状に前方へ突出してなる。更に該一対の突起
部８ｄの下方には、突起部８ｄと同形状の、左右一対の突起部８ｅが配設されている。但
し、突起部８ｄと突起部８ｅとの間隔は、係合爪８ａと係合爪８ｃとの間隔と等しくして
いる。溝部８ｆは、保持台８前面下方の左右方向略中心より左側寄りの、突起部８ｄと８
ｅとの中間に配設されており、細長矩形状に保持台８後方へ窪んでなる。但し、突起部８
ｄと溝部８ｆとの間隔は、ユニット本体２ａ背面の凹部（図示せず）と係止片２ｉの下端
部矩形板との間隔と等しくしている。係止部８ｇは、保持台８下面の左右方向略中心より
左側寄りに設けられており、上方へ窪んだ段部からなる。但し、突起部８ｅと係止部８ｇ
との間隔は、ユニット本体２ａ背面の凹部（図示せず）と係止片２ｉの下端部矩形板との
間隔と等しくしている。また、保持台８前面上方の係止爪８ａと８ｂとの間、及び保持台
８前面下方の突起部８ｅと係止部８ｇとの間には、矩形状に内側へ窪んでなる窪み部８ｉ
が形成されており、更に該窪み部８ｉの底壁には、ボディ３底壁への固定手段として取付
孔８ｊが各々貫設されている。尚、上方の取付孔８ｊはダルマ孔にて形成され、下方の取
付孔８ｊは丸孔にて形成される。
【００５２】
以下、ユニット本体２ａの保持台８への取り付け方について説明する。本実施形態２の
保持台８は、ユニット本体２ａを下方で保持する場合と、ユニット本体２ａを上方で保持
する場合との二箇所の保持場所を有する。前者の場合、図７（ｂ）に示すように、突起部
８ｅ（図７（ｂ）には図示されず）をユニット本体２ａ背面側の凹部（図示せず）に嵌合
させて、係止部８ｇに係止片２ｉの下端部後方側の矩形板を係止させる。そして、係合爪
８ｃを係止段部２ｈに弾性係止させることで、ユニット本体２ａが保持台８に取り付けら
れる。尚、このとき保持台８の下端部の左右方向略中心より右側寄りに突出される角筒部
分の下面と、突起板２ｃの下面とは面一としており、同じく保持台８の左右側面と、ユニ
ット本体２ａの左右側面とは面一としている。一方、後者の場合、図７（ｃ）に示すよう
に、突起部８ｄ（図７（ｃ）には図示せず）をユニット本体２ａ背面側の凹部（図示せず
）に嵌合させて、溝部８ｆに係止片２ｉの下端部後方側の矩形板を嵌合する。そして、係
合爪８ａを係止段部２ｈに弾性係止させることで、ユニット本体２ａが保持台８に取り付
けられる。尚、このとき保持台８の上面と、ユニット本体２ａの上面とは面一としており
、同じく保持台８の左右側面と、ユニット本体２ａの左右側面とは面一としている。
【００５３】
本実施形態２の保持ユニット２は、上述の様に、保持台８及びユニット本体２ａから構
成され、保持台８は、前面でユニット本体２ａを着脱自在に保持する。因って、ボディ３
への取付けの際には、図８（ａ）及び図９（ａ）に示すように、ユニット本体２ａを取り
外した状態で、先に保持台８のみをボディ３底壁に取付ける。即ち、保持台８下方の取付
孔８ｊを通じて、ボディ３底壁の最左端下のボス３ｆに取付ネジ３ｅを螺合するとともに
、上方の取付孔２ｊを通じてボディ３底壁の最左端上のボス３ｆに取付ネジ３ｅを螺合す
ることで、保持台８がボディ３の最左端底壁に取り付けられる。次に、アダプタ７をユニ
ット本体２ａから取り外し、最左端の開口部３ｃよりボックス１内に引き込んだ光ケーブ
ル５のプラグ５ａをアダプタ７の接続部７ａに接続する。そして、光ケーブル５の余長部
分を、巻き取り部６の右支持板６ｅの左側面、下支持板６ｉの上側面、左支持板６ｄの右
側面、突出部６ａの外周面及び上支持板６ｈの下側面によって形成される長円形の周縁と
略同形状の大きさに巻いておき、ユニット本体２ａを手で保持しながら、巻いた状態の光
ケーブル５の余長部分を巻き取り部６に巻回させて収納する。若しくは直接巻き取り部６
の前記長円形の周縁に沿うように巻回させてもよい。このとき左右支持板６ｄ、６ｅ及び
上下支持板６ｈ、６ｉに備えられた複数の鍔部６ｇにより、光ケーブル５の余長部分が前
方へ脱落することはない。そして、アダプタ７をユニット本体２ａに取り付け、ユニット
本体２ａを、上述の様に保持台８の下方乃至上方で弾性係止により固定させることで、保
持ユニット２がボディ３に取り付けられる。
【００５４】
ユニット本体２ａを保持台８の下方で弾性係止させると、図８（ｂ）及び図１０に示す
ように、保持台８及びユニット本体２ａの面一とした下面は、ボディ３の下側壁に当接さ
れる。つまり、アダプタ７は、実施形態１と同様にボディ３の貫通孔９と近接して対向す
る位置にあり、ボディ３をカバー４で覆った状態でも貫通孔９を通じて光コード９０のプ
ラグ９０ａをアダプタ７の接続部７ｂに接続が可能である。
【００５５】
しかし、一方で宅内の壁面にボックス１を設置後、ボックス１の下側壁の真下に造営構
造物等があり、貫通孔９より下方外側で、光コード９０のプラグ９０ａの一部を突出させ
ることができない場合がある。この場合、ユニット本体２ａを保持台８の上方で弾性係止
させれば、図９（ｂ）に示すように、アダプタ７と光コード９０との接続場所は、ボディ
３の貫通孔９から離れた位置になり、光コード９０のプラグ９０ａの一部が貫通孔９より
下方外側へ突出されることはない。即ち、ボックス１の下側壁の真下には光コード９０を
沿わせる隙間だけあればよい。
【００５６】
以上説明した本実施形態２のマルチメディアポートの保持ユニット２は、ユニット本体
２ａと保持台８とから構成され、ユニット本体２ａは巻き取り部６及びアダプタ７を備え
、保持台８は、背面側でボックス１のボディ３底壁に固定され、前面側でユニット本体２
ａを着脱自在に保持する。因って、保持台８からユニット本体２ａを取り外して、先に保
持台８をボックス１のボディ３底壁に固定させて、光ケーブル５の余長部分を巻き取り部
６に収納させた後、ユニット本体２ａを保持台８に取付けることができ、作業性を向上さ
せることができる。また、保持台８のユニット本体２ａを保持する位置を上方乃至下方の
２箇所から択一的に変えることができるので、ボックス１周辺の造営構造物等により、光
コード５のプラグ５ａの一部を貫通孔９より外側に突出させることができない場合、アダ
プタ７と光コード５との接続場所を、ボックス１内の貫通孔９から離れた場所に変えるこ
とが可能である。
【００５７】
尚、本実施形態２で説明した保持台８のユニット本体２ａを保持する位置は、上方乃至
下方の２箇所だけであった。しかし更にこの２箇所の間で、他にも複数のユニット本体２
ａを保持する位置を設けてもよく、例えば、係合爪８ａと８ｃとの間に設けられた係合爪
８ｂを係止段部２ｈに係止させてもよい。
【図面の簡単な説明】
【００５８】
【図１】本発明の実施形態１のボックス内斜視図である。
【図２】同上におけるボックスの平面図で、（ａ）は正面図、（ｂ）は底面図、（ｃ）は右側面図である。
【図３】同上における保持ユニットの斜視図である。
【図４】同上における保持ユニットを示し、（ａ）はアダプタ取り外し時の要部斜視図で、（ｂ）はアダプタ取り付け時の要部斜視図である。
【図５】同上におけるボックスを示し、（ａ）は右側面断面図で、（ｂ）は要部断面図である。
【図６】同上におけるボディの要部正面図である。
【図７】本発明の実施形態２の保持ユニットを示し、（ａ）は分解斜視図で、（ｂ）は下方取付け時の斜視図で、（ｃ）は上方取付け時の斜視図である。
【図８】同上におけるボックス内を示し、（ａ）はユニット本体取付け前の斜視図で、（ｂ）は下方取付け時の斜視図である。
【図９】同上におけるボックス内を示し、（ａ）はユニット本体取付け前の斜視図で、（ｂ）は上方取付け時の斜視図である。
【図１０】同上におけるユニット本体下方取付け時のボックス内正面図である。
【符号の説明】
【００５９】
１  ボックス
２  保持ユニット
３  ボディ
３ｃ  開口部
４  カバー
５  光ケーブル
５ａ  プラグ
６  巻き取り部
７  アダプタ
９  貫通孔
９０  光コード
９０ａ  プラグ
【図１】
2010016253.tif 000003
【図２】
2010016253.tif 000004
【図３】
2010016253.tif 000005
【図４】
2010016253.tif 000006
【図５】
2010016253.tif 000007
【図６】
2010016253.tif 000008
【図７】
2010016253.tif 000009
【図８】
2010016253.tif 000010
【図９】
2010016253.tif 000011
【図１０】
2010016253.tif 000012